【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
繊維構造物に化合物を含浸させる工程であって、前記化合物が水性分散物を含み、前記水性分散物が下記の物質を含む工程、
（ａ）エチレン基剤熱可塑性ポリマー、プロピレン基剤熱可塑性ポリマー、およびそれらの混合物からなる群より選択される少なくとも１つのポリマー、ここで該少なくとも１つのポリマーは、前記水性分散物の３５〜５５容積％を含む；
（ｂ）少なくとも１つの高分子量安定剤；および、
（ｃ）水；
前記含浸繊維構造物から少なくとも一部の水を除去する工程、
を含む方法によって形成される物品。
【請求項２】
前記エチレン基剤ポリマーが、エチレン−α−オレフィンインターポリマーである、請求項１に記載の物品。
【請求項３】
前記プロピレン基剤ポリマーが、プロピレン−α−オレフィンインターポリマーである、請求項１に記載の物品。
【請求項４】
前記化合物が、少なくとも１つの充填剤をさらに含み、前記充填剤が、少なくとも１つのポリマーおよび高分子量安定剤の合計量１００部につき、０部より大きく約２００部までを含む、請求項１に記載の物品。
【請求項５】
前記少なくとも１つのポリマーが、前記水性分散物の約４０〜約５０容積％を含む、請求項１に記載の物品。
【請求項６】
前記少なくとも１つの高分子量安定剤が、少なくとも１つの極性ポリマーを含む、請求項１に記載の物品。
【請求項７】
前記少なくとも１つの極性ポリマーが、極性ポリオレフィンを含む、請求項６に記載の物品。
【請求項８】
前記極性ポリオレフィンが、部分的または完全に中和されたエチレン−酸コポリマーを含む、請求項７に記載の物品。
【請求項９】
前記極性ポリオレフィンが、エチレン−アクリル酸ポリマー、エチレン−メタクリル酸ポリマー、およびそれらの組合せからなる群より選択される少なくとも１つを含む、請求項７に記載の物品。
【請求項１０】
前記少なくとも１つのポリマーおよび前記少なくとも１つの高分子量安定剤の合計量が、前記水性分散物の約５〜約７０容積％を含む、請求項１に記載の物品。
【請求項１１】
前記水性分散物が、ｐＨ約６〜約１４を有する、請求項１に記載の物品。
【請求項１２】
前記水性分散物が、ｐＨ約９〜約１２を有する、請求項１１に記載の物品。
【請求項１３】
前記水性分散物が、平均粒度約０．３〜約３．０ミクロンを有する、請求項１に記載の物品。
【請求項１４】
前記水性分散物が、平均粒度約０．５〜約２．７ミクロンを有する、請求項１３に記載の物品。
【請求項１５】
前記繊維構造物が、織物、編物、不織布およびジオテキスタイルから選択される少なくとも１つを含む、請求項１に記載の物品。
【請求項１６】
前記繊維構造物が、亜麻、麻、セルロース、パルプおよび木材からなる群より選択される天然繊維を含む、請求項１に記載の物品。
【請求項１７】
前記繊維構造物が、綿、ウール、合成ウール、セルロース系材料；ポリアミド、ポリアクリロニトリル、ポリビニルクロライド、ポリビニリデンクロライド、ポリプロピレン、ポリエステルの合成繊維、およびそれらの組合せの少なくとも１つを含む、請求項１に記載の物品。
【請求項１８】
湿潤剤、界面活性剤、帯電防止剤、顔料、中和剤、増粘剤、流動調節剤(rheology modifier)、殺生物剤、殺真菌剤およびそれらの組合せから選択される少なくとも１つをさらに含む、請求項１に記載の物品。
【請求項１９】
請求項１に記載の物品から形成された靴補強材。
【請求項２０】
含浸生地の形成法であって、下記の工程：
水性分散物を含む化合物を形成する工程であって、前記水性分散物が下記の物質を含む工程、
（ａ）エチレン基剤熱可塑性ポリマー、プロピレン基剤熱可塑性ポリマー、およびそれらの混合物からなる群より選択される少なくとも１つのポリマー、ここで該少なくとも１つのポリマーが、前記水性分散物の３５〜５５容積％を含む；
（ｂ）少なくとも１つの高分子量安定剤；および、
（ｃ）水；
生地に化合物を含浸させる工程；
前記含浸生地から少なくとも一部の水を除去する工程
を有する形成法。
【請求項２１】
前記含浸生地が、前記少なくとも１つのポリマーおよび前記高分子量安定剤の合計量を、前記生地１００重量部につき約１０〜約１５０部の範囲で有する、請求項２０に記載の方法。
【請求項２２】
前記含浸生地が、前記少なくとも１つのポリマーおよび前記高分子量安定剤の合計量を、前記含浸生地１００重量部につき約１５〜約７５部の範囲で有する、請求項２１に記載の方法。
【請求項２３】
前記化合物の粘度、前記水性分散物中の組み合わされたポリマーおよび安定剤の濃度、または前記水性分散物の極性の少なくとも１つを調節することをさらに含む、請求項２０に記載の方法。
【請求項２４】
前記少なくとも１つのポリマーが、前記水性分散物の約４０〜約５０容量％の範囲に調節される、請求項２０に記載の方法。
【請求項２５】
前記化合物の粘度が、約２０〜約３０００ｃＰの範囲に調節される、請求項２３に記載の方法。
【請求項２６】
前記含浸生地を高温に暴露することによって一部の水を除去することをさらに含む、請求項２０に記載の方法。
【請求項２７】
温度が約７０℃〜約１２０℃である、請求項２６に記載の方法。
【請求項２８】
前記エチレン基剤ポリマーが、エチレン−α−オレフィンインターポリマーである、請求項２０に記載の方法。
【請求項２９】
前記プロピレン基剤ポリマーが、プロピレン−α−オレフィンインターポリマーである、請求項２０に記載の方法。
【請求項３０】
前記化合物が、少なくとも１つの充填剤をさらに含み、前記充填剤が、前記少なくとも１つのポリマーおよび前記高分子量安定剤の合計量１００部につき、０部より大きく約２００部までを含む、請求項２０に記載の方法。
【請求項３１】
前記化合物が少なくとも１つの充填剤をさらに含み、前記含浸生地が、前記充填剤、前記少なくとも１つのポリマーおよび前記高分子量安定剤の合計量を、前記生地１００重量部につき約１０〜約３００重量部の範囲で有する、請求項２０に記載の方法。
【請求項３２】
前記少なくとも１つの高分子量安定剤が、少なくとも１つの極性ポリマーを含む、請求項２０に記載の方法。
【請求項３３】
前記極性ポリマーが極性ポリオレフィンを含む、請求項３２に記載の方法。
【請求項３４】
極性ポリオレフィンが、部分的または完全に中和されたエチレン−酸コポリマーを含む、請求項３３に記載の方法。
【請求項３５】
前記極性ポリオレフィンが、エチレン−アクリル酸ポリマー、エチレン−メタクリル酸ポリマーおよびそれらの組合せからなる群より選択される少なくとも１つを含む、請求項３３に記載の方法。
【請求項３６】
前記少なくとも１つのポリマーおよび前記少なくとも１つの高分子量安定剤の合計量が、前記水性分散物の約２５〜約７４容積％である、請求項２０に記載の方法。
【請求項３７】
前記水性分散物が、ｐＨ約６〜約１４を有する、請求項２０に記載の方法。
【請求項３８】
前記水性分散物が、ｐＨ約９〜約１２を有する、請求項３７に記載の方法。
【請求項３９】
前記水性分散物が、平均粒度約０．３〜約３．０ミクロンを有する、請求項２０に記載の方法。
【請求項４０】
前記水性分散物が、平均粒度約０．５〜約２．７ミクロンを有する、請求項３９に記載の方法。
【請求項４１】
前記繊維構造物が、織物、編物および不織布から選択される少なくとも１つを含む、請求項２０に記載の方法。
【請求項４２】
前記繊維構造物が、亜麻、麻、セルロース、パルプおよび木材からなる群より選択される天然繊維を含む、請求項２０に記載の方法。
【請求項４３】
前記繊維構造物が、綿、ウール、合成ウール、セルロース系材料；ポリアミド、ポリアクリロニトリル、ポリビニルクロライド、ポリビニリデンクロライド、ポリプロピレン、ポリエステルの合成繊維、およびそれらの組合せの少なくとも１つを含む、請求項２０に記載の方法。
【請求項４４】
前記化合物が、湿潤剤、界面活性剤、帯電防止剤、顔料、中和剤、増粘剤、流動調節剤、殺生物剤、殺真菌剤およびそれらの組合せから選択される少なくとも１つをさらに含む、請求項２０に記載の方法。
【請求項４５】
前記含浸生地を他の支持体に結合させるか、貼り合わせるかまたはコーティングすることをさらに含む、請求項２０に記載の方法。
【請求項４６】
前記含浸生地の温度を、エチレン基剤熱可塑性ポリマー、プロピレン基剤熱可塑性ポリマー、およびそれらの混合物からなる群より選択される前記ポリマーの融点またはそれ以上の範囲の温度に上げる、請求項２０に記載の方法。
【請求項４７】
支持体およびフィルムを含む物品であって、前記フィルムが連続基剤ポリマー相および該連続基剤ポリマー相に分散した不連続安定剤相を含み、ここで、前記連続基剤ポリマー相における基剤ポリマーが、エチレン基剤熱可塑性ポリマー、プロピレン基剤熱可塑性ポリマーおよびそれらの混合物からなる群より選択される、前記物品。